(57)【特許請求の範囲】
【請求項１】
２層以上の樹脂層からなる積層構造を有する多層樹脂ベルトの製造方法であって、各樹脂層を構成する２種以上の溶融樹脂材料を、成形ダイ内にマンドレルと、中間ダイリングと、外側ダイリングとによりそれぞれ独立して設けられた２以上の環状通路を経て、合流させた後にダイスリットから押出すことにより、前記積層構造を形成する多層樹脂ベルトの製造方法において、
前記環状通路内の溶融樹脂材料のうち１種以上に円周方向の外力を及ぼして、該１種以上の溶融樹脂材料を該環状通路内で強制流動させ、かつ、前記２種以上の溶融樹脂材料の合流部では、合流する該溶融樹脂材料に前記円周方向の外力を及ぼさない多層樹脂ベルトの製造方法であって、
前記マンドレルおよび外側ダイリングに、前記環状通路の入口から前記合流部に向かう螺旋状の案内溝を設けて、前記中間ダイリングの一部に設けた可動部および前記外側ダイリングの一部に設けた可動部を、該案内溝の延在方向と同方向または逆方向に、中心軸線の周りで回転変位させて、前記１種以上の溶融樹脂材料を前記環状通路内で強制流動させることを特徴とする多層樹脂ベルトの製造方法。
【請求項２】
２種の溶融樹脂材料を用いて２層の樹脂層からなる積層構造を有する樹脂ベルトを製造する請求項１記載の多層樹脂ベルトの製造方法。
【発明の詳細な説明】
【技術分野】
【０００１】
本発明は、多層樹脂ベルトの製造方法およびそれにより得られる多層樹脂ベルト（以下、単に「製造方法」および「ベルト」とも称する）に関し、詳しくは、複写機、プリンター等の電子写真装置や静電記録装置等における静電記録プロセスにおいて、中間転写ベルトや転写搬送ベルト等として用いられる多層樹脂ベルトの製造方法およびそれにより得られる多層樹脂ベルトに関する。
【背景技術】
【０００２】
従来から、複写機、プリンター等の画像形成装置における静電記録プロセスでは、まず、感光体（潜像保持体）の表面を一様に帯電させ、この感光体に光学系から映像を投射して光の当たった部分の帯電を消去することによって静電潜像を形成し、次いで、この静電潜像にトナーを供給してトナーの静電的付着によりトナー像を形成し、これを紙、ＯＨＰ、印画紙等の記録媒体へと転写することにより、プリントする方法が採られている。
【０００３】
このような静電記録プロセスにおいて、トナー像を紙等の記録媒体へと転写する際には、トナー像を一旦自己の表面に保持して転写するため（中間転写方式）、または、記録媒体を感光体まで搬送してトナー像を直接転写させるために（転写搬送方式）、半導電性の樹脂フィルムまたは繊維補強体を有するゴムからなるベルト状部材が用いられている。このうち樹脂フィルムからなる樹脂フィルムベルトを製造する方法としては、従来、環状ダイスを用いた押出成形による手法が知られている。
【０００４】
かかるベルトの押出成形に係る改良技術としては、例えば、特許文献１に、溶融樹脂材料を、成形ダイのマンドレルと外筒ダイリングとの間の環状通路を経てダイスリットから押出して、樹脂製薄肉チューブを成形するに当り、環状通路内の溶融樹脂材料に円周方向の外力を及ぼして、その溶融樹脂材料を環状通路内で強制流動させることで、成形される樹脂製薄肉チューブにおける異物の混入数および厚み精度を向上した樹脂製薄肉チューブの成形方法が開示されている。
【０００５】
また、特許文献２には、内側ダイリングと外側ダイリングとの少なくとも一方を回転可能に配置して、これらダイリング間の内側ダイリング側に、それぞれ次第に深さの減少する複数のスパイラル流路溝を形成してなるスパイラルダイの、該複数のスパイラル流路溝に、前記ダイリングの少なくとも一方を回転させつつ、内側ダイリングから複数の溶融樹脂流を、該内側ダイリングに設けた分配溝を通じて一定の順序で分配導入し、個々の樹脂流がスパイラル流路溝を進行してダイ軸方向に均一な筒状流を形成する前に、複数の溶融樹脂流をスパイラル流路溝からの漏洩流として前記一定の順序で積層させることにより、その周方向断面において複数樹脂が斜めに積層した積層筒状体を得る樹脂積層体の製造方法が開示されている。
【０００６】
さらに、特許文献３には、チューブ円周方向へのポリマー配向を達成し、液晶ポリマーなどの特殊ポリマーを用いなくても押し込み性、トルク伝達性、追随性、耐キンク性等を改善しうる多層管状体を提供することを目的として、２以上のポリマー入口と、押出方向下流の合流部と、内部に分岐路を有するダイ本体と、ダイ本体内に貫通して配置されたマンドレルと、ダイ本体の押出方向下流側先端に、マンドレルと同心に配置されたダイスとを有し、マンドレルの外周面とダイスの内周面とにより、ダイスの空間内に合流ポリマーの流路が形成されるとともに、マンドレルおよびダイスの少なくとも一方が、押出方向を軸方向として回転可能に構成されてなる積層管状体押出成形用ダイが開示されている。さらにまた、特許文献４には、ダイ本体内部に、スパイラル溝を外面に有するマンドレルを嵌設すると共に、ダイ本体の内面を形成するダイシリンダー部の一部分の範囲であって、かつスパイラル溝の始めの部分から終りの部分までの間に対応する部位に、所望幅寸法の回転リングを、前記スパイラル溝の外周面に沿って回動自在に装着したスパイラルダイが開示されている。
【特許文献１】特開２００５−５３０３１号公報（特許請求の範囲等）
【特許文献２】特開平１０−２９２３７号公報（特許請求の範囲等）
【特許文献３】特開２００３−２５１６８０号公報（特許請求の範囲等）
【特許文献４】特開２００４−３３０６９８号公報（特許請求の範囲等）
【発明の開示】
【発明が解決しようとする課題】
【０００７】
画像形成装置に使用される樹脂フィルムベルトには、品質として、ベルト表面に異物等による凹凸がないことや、高い厚み精度を有することが求められる。一方で、難燃性や表面光沢、画像特性等の各種ベルト性能についても全て満足する高機能なベルトが要求されており、１種類の樹脂組成物から構成されるベルトでは、これらの機能を同時に達成することが困難になってきた。そこで最近では、ベルトを多層化して、各機能を各層に分離することで高機能化を図る試みがなされている。
【０００８】
このような多層化されたベルトを押出成形により製造するに際して、特許文献１に開示された技術では、異物による凹凸や厚み精度に関しては高品質なベルトが得られるものの、多層化には対応できるものではなかった。また、特許文献２に開示された技術では、複数種の樹脂組成物を、樹脂組成物の種類以上に積層することは可能であるが、各層の厚み精度の制御は困難であった。さらに、特許文献３に開示された技術は、ポリマーが配向した積層管状体を得るために各層材料の合流後にマンドレルないしダイスを回転させるものであって、各層のそれぞれにおける異物の混入防止や厚み精度の向上については何ら考慮されていない。
【０００９】
そこで本発明の目的は、複数樹脂層の積層により構成されるベルトを、押出形成を用いて、異物による表面の凹凸を低減しつつ高い厚み精度で得ることができる多層樹脂ベルトの製造方法、およびそれにより得られる多層樹脂ベルトを提供することにある。
【課題を解決するための手段】
【００１０】
本発明者は鋭意検討した結果、多層樹脂ベルトを押出により形成する際に、成形ダイ内で各層の樹脂材料がそれぞれ独立して流れる各環状通路において滞留部分が生ずる場合があり、この滞留部分における劣化樹脂材料が異物発生の原因となることを見出した。本発明者はさらに検討した結果、かかる成形ダイ内の環状通路に外力を及ぼして滞留部分の発生を防止するとともに、各層の合流部分については外力を及ぼさないものとすることで、樹脂材料の劣化、ひいては異物発生等の問題を防止でき、かつ、各層および全体の厚み精度を向上することが可能となることを見出して、本発明を完成するに至った。
【００１１】
すなわち、本発明の多層樹脂ベルトの製造方法は、２層以上の樹脂層からなる積層構造を有する多層樹脂ベルトの製造方法であって、各樹脂層を構成する２種以上の溶融樹脂材料を、成形ダイ内にマンドレルと、中間ダイリングと、外側ダイリングとによりそれぞれ独立して設けられた２以上の環状通路を経て、合流させた後にダイスリットから押出すことにより、前記積層構造を形成する多層樹脂ベルトの製造方法において、
前記環状通路内の溶融樹脂材料のうち１種以上に円周方向の外力を及ぼして、該１種以上の溶融樹脂材料を該環状通路内で強制流動させ、かつ、前記２種以上の溶融樹脂材料の合流部では、合流する該溶融樹脂材料に前記円周方向の外力を及ぼさない多層樹脂ベルトの製造方法であって、
前記マンドレルおよび外側ダイリングに、前記環状通路の入口から前記合流部に向かう螺旋状の案内溝を設けて、前記中間ダイリングの一部に設けた可動部および前記外側ダイリングの一部に設けた可動部を、該案内溝の延在方向と同方向または逆方向に、中心軸線の周りで回転変位させて、前記１種以上の溶融樹脂材料を前記環状通路内で強制流動させることを特徴とするものである。
【００１２】
本発明において好適には、２種の溶融樹脂材料を用いて２層の樹脂層からなる積層構造を有する樹脂ベルトを製造することができる。
【発明の効果】
【００１４】
本発明によれば、上記構成としたことにより、複数樹脂層の積層により構成されるベルトを、押出形成を用いて、異物による表面の凹凸を低減しつつ高い厚み精度で得ることができる多層樹脂ベルトの製造方法を実現でき、これにより、各層および全体の厚み精度に優れ、異物の混入数が少ない多層樹脂ベルトを得ることが可能となった。
【発明を実施するための最良の形態】
【００１５】
以下、本発明の好適な実施の形態について、図面を参照しつつ詳細に説明する。
図１に、本発明の一好適実施形態に係る多層樹脂ベルトの製造方法に用いる成形ダイの概略部分断面図を示す。図示する成形ダイ１０は、２種の溶融樹脂材料を用いて２層の樹脂層からなる積層構造を有する樹脂ベルトを製造するためのものである。
【００１６】
本発明の多層樹脂ベルトの製造方法は、２層以上の樹脂層からなる積層構造を有する多層樹脂ベルトを製造するにあたり、図示するような成形ダイ１０を用いて、各樹脂層を構成する２種以上の溶融樹脂材料を、成形ダイ１０内にマンドレル１と、中間ダイリング２と、外側ダイリング３とによりそれぞれ独立して設けられた２以上（図示例では２）の環状通路４Ａ，４Ｂを経て、合流部５で合流させた後に、ダイスリット６から押出すことにより積層構造を形成するものである。
【００１７】
図示する成形ダイ１０においては、マンドレル１と中間ダイリング２との間、および、中間ダイリング２と外側ダイリング３との間の２箇所に環状通路４Ａ，４Ｂが区画形成されるとともに、この環状通路４Ａ，４Ｂの下流側端部分に、合流路５を経由して、ダイスリット６が形成されている。押出成形時には、マンドレル１の上部中央に設けられた材料流入口９Ａおよび成形ダイ１０の外周面に設けられた材料流入口９Ｂから２種の溶融樹脂材料を供給して、マンドレル１の外周面および中間ダイリング２と外側ダイリング３との間に設けられた材料流出口７Ａ，７Ｂへ分岐流動させ、これら各流出口７Ａ，７Ｂを介して環状通路４Ａ，４Ｂ内に流出させる。環状通路４Ａ，４Ｂ内に流出した溶融樹脂材料は、それぞれマンドレル１の外周面および中間ダイリング２の外周面に形成されて、各流出口７Ａ，７Ｂからダイスリット６に向かい螺旋状に延びる案内溝８Ａ，８Ｂに案内されて、環状通路４Ａ，４Ｂ内を流下する。
【００１８】
本発明においては、かかる２以上の環状通路内の溶融樹脂材料のうち１種以上の溶融樹脂材料に円周方向の外力を及ぼして、かかる１種以上の溶融樹脂材料を、環状通路内で強制流動させる。これにより、環状通路内の溶融樹脂材料に大きな剪断力を作用させることができるので、溶融樹脂材料を環状通路内部で滞留させることなく円滑に合流、流下させて、ダイスリットから押出すことができる。また、その結果として、各環状通路内での材料の合流に伴うウェルドラインの発生を防止するとともに、溶融樹脂材料の滞留により劣化した材料がベルト内に混入するおそれを排除して、各樹脂層、ひいてはベルト全体の厚み精度を向上し、異物の混入、すなわち表面凹凸の発生の少ない多層樹脂ベルトを得ることが可能となるものである。なお、特許文献３におけるように、各層の材料が合流した後に外力を加えても、環状通路内での滞留は防止できないため、厚み精度や表面性の向上効果は得られない。
【００１９】
本発明においては、環状通路内の２種以上の溶融樹脂材料のうち、少なくとも１種の溶融樹脂材料を強制流動させるものであればよく、１種のみでも本発明の効果は得られるが、好適には、２種以上のすべての溶融樹脂材料を強制流動させることで、より良好な効果が得られる。
【００２０】
また、本発明においては、上記２種以上の溶融樹脂材料の合流部５では、合流する溶融樹脂材料に円周方向の外力を及ぼさない点が重要である。合流部５において、合流しようとする溶融樹脂材料に対し円周方向の外力を及ぼすと、合流後に各層の界面が不均一になるとともに、各層の厚さにムラが生じやすくなる。
【００２１】
本発明において、環状通路内での上記溶融樹脂材料の強制流動は、各環状通路を区画形成するマンドレル１、中間ダイリング２および外側ダイリング３のうちの１つ以上の一部を、中心軸線の周りで回転変位させて、環状通路内の溶融樹脂材料に円周方向の外力を及ぼすことにより行うことができる。この回転変位は、１以上の環状通路内の溶融樹脂材料を強制流動させることができるものであればよいので、少なくとも１の環状通路の両側をなすマンドレル、中間ダイリングおよび外側ダイリングのうちの少なくとも一方の側につき、その一部を回転変位させればよい。
【００２２】
例えば、図１に示す２層ベルト用の成形ダイ１０の場合には、外側ダイリング３の一部に設けた可動部３ａを中心軸線の周りで回転変位させることで、環状通路４Ｂ内の溶融樹脂材料のみを、合流部５を避けて強制流動させることができる。
【００２３】
これらマンドレル等の一部を回転変位させる場合には、図示するように、溶融樹脂材料の環状通路４Ｂへの流出口７Ｂの近傍において、回転変位を行うことが好ましい。これにより、流出口７Ｂから環状通路４Ｂ内に流出した溶融樹脂材料を、その近傍で滞留させることなくスムーズに流下させることができ、より効果的である。なお、図示するような環状通路を有する成形ダイにおいては、材料流出口は通常、周方向に均等間隔で複数箇所、通常は４箇所程度設けられる。
【００２４】
ここで、本発明においてマンドレル等の回転変位とは、マンドレル等を中心軸線の周りに回転移動させるものであればよく、一定速度で一方向に回転させ続ける場合に限らず、小さな回転変位を正逆方向に繰り返させるような場合も含まれる。本発明におけるマンドレル等の回転変位の回転速度としては、溶融樹脂材料の粘度等にもよるが、例えば、０．１〜１０ｒｐｍとする。
【００２５】
また、図示するように、成形ダイにおいて、環状通路４Ａ，４Ｂごとに、マンドレル１、中間ダイリング２および外側ダイリング３のうちの１つ以上に、環状通路の入口である材料流入口７Ａ，７Ｂから合流部５に向かう螺旋状の案内溝８Ａ，８Ｂが設けられている場合には、上記マンドレル等の回転変位を、案内溝の延在方向とは逆方向に行うことが好ましい。案内溝の延在方向と同方向に回転変位させても本発明の効果を得ることはできるが、延在方向と逆方向とすることで、溶融樹脂材料に作用する剪断力を一層高めることができ、各流出口から流出する溶融樹脂材料を相互により効果的に攪拌することができる。
【００２６】
さらに、本発明においては、マンドレル等の一部の回転変位する可動部の表面、すなわち、溶融樹脂材料と接触する表面につき、例えば、非可動部表面よりも表面粗さを粗くしたり表面温度を下げるなどにより、溶融樹脂材料の拘束力を非可動部表面より大きくすることが好ましい。これにより、溶融樹脂材料の流動に対する強制力を一層高めることができる。
【００２７】
上述したように、本発明に用いるマンドレル１には、上部中央に押出機から供給された溶融樹脂材料を供給するための流入口９Ａが設けられるとともに、外周面に材料流出口７Ａが設けられており、さらに、その外周面上には、流出口７Ａからダイスリット６に向かい、等しいつる巻角で螺旋状に伸びる案内溝８Ａが設けられている。なお、流入口９Ａと流出口７Ａとは、マンドレル１の内部を貫通する流路１１Ａを介して連結されている。
【００２８】
また、中間ダイリング２は、マンドレル１と外側ダイリング３との間に配置されて、溶融樹脂材料の環状通路４Ａ，４Ｂを区画するものであり、３層以上の多層押出しの場合には、この中間ダイリングを２層以上配置して、各溶融樹脂材料に対応する環状通路を区画形成すればよい。図示する例では、中間ダイリング２の内周面上には、流出口７Ｂからダイスリット６に向かい、等しいつる巻角で螺旋状に伸びる案内溝８Ｂが設けられている。
【００２９】
図示するマンドレル１および中間ダイリング２において、各案内溝８Ａ，８Ｂは、マンドレル１および中間ダイリング２の下端からある程度の距離をおいた位置で終端しており、このマンドレル１および中間ダイリング２における案内溝の形成域が、溶融樹脂材料の環状通路４Ａ，４Ｂを区画している。
【００３０】
また、図示する例では、成形ダイ１０の外周面に、押出機から供給された溶融樹脂材料を供給するための流入口９Ｂが設けられるとともに、中間ダイリング２と外側ダイリング３との間に材料流出口７Ｂが設けられており、これら流入口９Ｂと流出口７Ｂとは、流路１１Ｂを介して連結されている。なお、図中の符号１２は調整リングを示し、この調整リングに設けられた図示しない調整ボルトを用いて調整リングを変形ないし移動させることで、ダイスリット６の間隔を調整して、成形されるベルトの偏肉調整を行うことができる。
【００３１】
ここで、マンドレル、中間ダイリングおよび外側ダイリングのいずれにおいても、回転変位する可動部を形成する場合、可動部と固定部との間の接合部に溶融樹脂材料の入り込みが生ずることが考えられるが、この接合部を、ダイの外側に対して完全な液密シールとすると、接合部に入り込んで熱劣化等した溶融樹脂材料が再度環状通路内に流れ込むことを防止できなくなる。したがってこの場合、固定部分と回転部分との間について完全なシールは行わずに、接合部に入り込んだ溶融樹脂材料のダイの外側への滲み出しを作為的に許容することで、熱劣化等した溶融樹脂材料の製品ベルトへの混入のおそれを十分に取り除くことが好ましい。
【００３２】
図示する成形ダイ１０を用いて多層樹脂ベルトを製造するにあたっては、図示しない押出機において溶融、押出された各溶融樹脂材料を、例えば、定容型のポンプを介して、マンドレル１の流入口９Ａおよび成形ダイ１０外周面の流入口９Ｂより供給し、各流出口７Ａ，７Ｂから、好ましくはほぼ均等に分岐させて環状通路４Ａ，４Ｂ内に流出させる。この際、モータ１３に連結した駆動ギア１４を介して、外側ダイリング３の可動部３ａを所定速度で回転させることにより、環状通路４Ｂ内の溶融樹脂材料に円周方向の外力を及ぼす。これにより、環状通路４Ｂ内の溶融樹脂材料に対し剪断力を作用させて、この溶融樹脂材料の全体を、環状通路４Ｂ内でその回転方向へ強制流動させることができる。このため、流出口から流出した溶融樹脂材料は、滞留する間を置かずに十分に攪拌されるので、滞留による劣化材料の混入のおそれをなくすとともに、各流出口から流出した溶融樹脂材料相互の合流に起因するウェルドラインの発生についても、確実に防止することができる。
【００３３】
上記のように、溶融樹脂材料の全体を十分に強制流動させた後は、各層を構成するすべての溶融樹脂材料を、各々への押出圧力の作用に基づいて環状通路４Ａ，４Ｂの下端まで流下させ、合流部５を介してダイスリット６から押出すことで、所定の形状および寸法を有する多層樹脂ベルトを成形することができる。このようにして成形される多層樹脂ベルトは、上述したように、成形ダイ内での溶融樹脂材料の滞留がなく、また、各環状通路内の溶融樹脂材料同士の合流によるウェルドラインの形成もないことから、熱劣化等された材料の混入やウェルドラインの存在に起因する厚み変動から十分に保護されることになる。
【００３４】
図２に、本発明の他の実施形態に係る成形ダイの概略部分断面図を示す。図示する成形ダイ２０も、２種の溶融樹脂材料を用いて２層の樹脂層からなる積層構造を有する樹脂ベルトを製造するためのものであり、中間ダイリング２２の一部に設けた可動部２２ａを中心軸線の周りで回転変位させることで、環状通路２４Ａ内の溶融樹脂材料を強制流動させている点で、図１の成形ダイと異なる。
【００３５】
図示する成形ダイ２０においては、マンドレル２１と中間ダイリング２２との間、および、中間ダイリング２２と外側ダイリング２３との間の２箇所に環状通路２４Ａ，２４Ｂが区画形成され、その下流側端部分に、合流路２５を経由して、ダイスリット２６が形成されている。押出成形時には、マンドレル２１の上部中央に設けられた材料流入口２９Ａおよび外側ダイリング２３の外周面に設けられた材料流入口２９Ｂから２種の溶融樹脂材料を供給して、マンドレル２１の外周面および外側ダイリング２３の内周面に設けられた材料流出口２７Ａ，２７Ｂへ分岐流動させ、これら各流出口２７Ａ，２７Ｂを介して環状通路２４Ａ，２４Ｂ内に流出させる。環状通路２４Ａ，２４Ｂ内に流出した溶融樹脂材料は、それぞれマンドレル２１の外周面および外側ダイリング２３の内周面に形成されて、各流出口２７Ａ，２７Ｂからダイスリット２６に向かい螺旋状に延びる案内溝２８Ａ，２８Ｂに案内されて、環状通路２４Ａ，２４Ｂ内を流下する。
【００３６】
また、図３は、本発明のさらに他の実施形態に係る成形ダイを示す概略部分断面図である。図示する成形ダイ３０も、２種の溶融樹脂材料を用いて２層の樹脂層からなる積層構造を有する樹脂ベルトを製造するためのものである。この成形ダイ３０においては、中間ダイリング３２の一部に設けた可動部３２ａおよび外側ダイリング３３の一部に設けた可動部３３ａを、それぞれ中心軸線の周りで回転変位させることで、環状通路３４Ａ，３４Ｂ内の溶融樹脂材料のそれぞれを強制流動させている。
【００３７】
図示する成形ダイ３０においては、マンドレル３１と中間ダイリング３２との間、および、中間ダイリング３２と外側ダイリング３３との間の２箇所に環状通路３４Ａ，３４Ｂが区画形成され、その下流側端部分に、合流路３５を経由して、ダイスリット３６が形成されている。押出成形時には、マンドレル３１の上部中央に設けられた材料流入口３９Ａおよび外側ダイリング３３の外周面に設けられた材料流入口３９Ｂから２種の溶融樹脂材料を供給して、マンドレル３１の外周面および外側ダイリング３３の内周面に設けられた材料流出口３７Ａ，３７Ｂへ分岐流動させ、これら各流出口３７Ａ，３７Ｂを介して環状通路３４Ａ，３４Ｂ内に流出させる。環状通路３４Ａ，３４Ｂ内に流出した溶融樹脂材料は、それぞれマンドレル３１の外周面および外側ダイリング３３の内周面に形成されて、各流出口３７Ａ，３７Ｂからダイスリット３６に向かい螺旋状に延びる案内溝３８Ａ，３８Ｂに案内されて、環状通路３４Ａ，３４Ｂ内を流下する。なお、図中の符号１３Ａ，１３Ｂはモータを、符号１４Ａ，１４Ｂは駆動ギアを、それぞれ示す。
【００３８】
本発明の多層樹脂ベルトは、上記本発明の製造方法により製造されたものであればよく、これにより、異物による表面の凹凸を低減しつつ厚み精度を向上することができるものであり、具体的な各層の構成やベルト配合の詳細については、特に制限されるものではない。
【実施例】
【００３９】
以下、本発明を、実施例を用いてより詳細に説明する。
＜実施例＞
図３に示す概略形状を有する成形ダイを用いて、２層の積層構造を有する樹脂ベルトの押出成形を行った。各層の配合は、下記の表１中に示すとおりである。
【００４０】
【表１】
0004942598.tif 000002
【００４１】
内側層および外側層の配合材料としては、各配合成分を上記表１に示す配合比で混合し、φ３０ｍｍ二軸押出機にて２５０℃で混練りしたものを用いた。その後、内側層はφ３０ｍｍ一軸押出機、外側層はφ２５ｍｍ一軸押出機にてそれぞれ配合材料を溶融し、図３に示す成形ダイ３０、冷却マンドレルおよび引取機を用いて、ベルトを成形した。押出機および成形ダイ温度はそれぞれ２６０℃に設定し、内側層と外側層との押出量比が８：２となるよう調整して、直径１５０ｍｍ、総厚み１００μｍのベルトを成形した。ベルトの成形に際しては、中間ダイリング３２の一部に設けた可動部３２ａおよび外側ダイリング３３の一部に設けた可動部３３ａを、回転速度２ｒｐｍで、螺旋状案内溝の延在方向と同方向または逆方向にて、中心軸線の周りで回転変位させた。なお、内側層と外側層の回転方向は同じとした。また、溶融樹脂材料の流量は、内側層と外側層合わせて４ｋｇ／ｈｒとした。
【００４２】
＜比較例＞
マンドレル等を回転変位させなかった以外は実施例と同条件にて、樹脂ベルトを成形した。
【００４３】
＜評価＞
３０分間溶融樹脂材料を流した後に、以下の各項目につき評価を行った。その結果を、下記の表２中に示す。
（１）ウェルドラインの有無：目視にて評価した。
（２）異物混入数：ベルト長さ１ｍあたりの異物による凹凸の個数を計測した。
（３）ベルト総厚みの最大−最小：ベルト周方向の総厚みを接触式厚み計測装置ＴＯＦ−４Ｒ（（株）山文電気製）にて測定した。
（４）外側層厚みの最大−最小：周方向８ヶ所を鋭利なナイフで断面を切り出し、マイクロスコープ（（株）キーエンス製ＶＨＸ−２００）にて測定した。  
【００４４】
【表２】
0004942598.tif 000003
【００４５】
上記表２中に示すように、マンドレル等を回転変位させることにより各環状通路内の溶融樹脂材料に対し円周方向の外力を及ぼして、溶融樹脂材料を環状通路内で強制流動させつつ製造したベルトにおいては、かかるマンドレルの回転変位を行わずに製造した比較例のベルトに比し、異物混入数を大幅に低減することができるとともに、厚み精度が向上されていることが確かめられた。
【図面の簡単な説明】
【００４６】
【図１】本発明の一好適実施形態に係る多層樹脂ベルトの製造方法に用いる成形ダイを示す概略部分断面図である。
【図２】本発明の他の好適実施形態に係る多層樹脂ベルトの製造方法に用いる成形ダイを示す概略部分断面図である。
【図３】本発明の他の好適実施形態に係る多層樹脂ベルトの製造方法に用いる成形ダイを示す概略部分断面図である。
【符号の説明】
【００４７】
１，２１，３１  マンドレル
２，２２，３２  中間ダイリング
３，２３，３３  外側ダイリング
３ａ，２２ａ，３２ａ，３３ａ  可動部
４Ａ，４Ｂ，２４Ａ，２４Ｂ，３４Ａ，３４Ｂ  環状通路
５，２５，３５  合流部
６，２６，３６  ダイスリット
７Ａ，７Ｂ，２７Ａ，２７Ｂ，３７Ａ，３７Ｂ  材料流出口
８Ａ，８Ｂ，２８Ａ，２８Ｂ，３８Ａ，３８Ｂ  案内溝
９Ａ，９Ｂ，２９Ａ，２９Ｂ，３９Ａ，３９Ｂ  材料流入口
１０，２０，３０  成形ダイ
１１Ａ，１１Ｂ  流路
１２  調整リング
１３，１３Ａ，１３Ｂ  モータ
１４，１４Ａ，１４Ｂ  駆動ギア
【図１】
0004942598.tif 000004
【図２】
0004942598.tif 000005
【図３】
0004942598.tif 000006